(57)【要約】【課題】一方向クラッチに対するシール効果を確実に維持し、組み込み性及びメンテナンス性が容易な磁気シール機構を備えた一方向クラッチユニットを提供する。【解決手段】一方向クラッチユニットは、円周壁２１ｂと駆動軸５を挿通させる開口２１ｄを有する底壁２１ｃとが一体化され、凹所２１ａを形成する枠体２１と、円周壁の内面に固定される外輪２３と、駆動軸と一体回転可能に配設される内輪と外輪との間に配設される複数の転がり部材２７と、複数の転がり部材を保持する保持部材２９と、枠体２１に取着され、凹所の開口側を閉塞すると共に、中心領域に円形の開口４０ａが形成されたカバー部材４０と、カバー部材の円形の開口と同軸上に設けられ、リング状の磁石５１を保持したリング状の保持板と、を有する。【選択図】  図３
2018186827.tif 000002
【特許請求の範囲】
【請求項１】
駆動軸の逆回転を防止する一方向クラッチユニットであって、
円周壁と前記駆動軸を挿通させる開口を有する底壁とが一体化され、凹所を形成する枠体と、
前記円周壁の内面に固定される外輪と、
前記駆動軸と一体回転可能に配設される内輪と前記外輪との間に配設される複数の転がり部材と、
前記複数の転がり部材を保持する保持部材と、
前記枠体に取着され、前記凹所の開口側を閉塞すると共に、中心領域に円形の開口が形成されたカバー部材と、
前記カバー部材の円形の開口と同軸上に設けられ、リング状の磁石を保持したリング状の保持板と、
を有することを特徴とする一方向クラッチユニット。
【請求項２】
前記リング状の保持板は、前記リング状の磁石を保持した状態で、固定ビスによって前記カバー部材に固定されていることを特徴とする請求項１に記載の一方向クラッチユニット。
【請求項３】
前記カバー部材には、前記円形の開口の周辺領域に円形の凹所が形成されており、
前記円形の凹所に、前記リング状の磁石を保持した前記リング状の保持板が位置決め、固定されていることを特徴とする請求項１に記載の一方向クラッチユニット。
【請求項４】
前記カバー部材と外輪との間にシール部材が介在されていることを特徴とする請求項１から３のいずれか１項に記載の一方向クラッチユニット。
【請求項５】
前記保持板には、保持されるリング状の磁石よりも径方向外方に突出する突出部が形成されており、
前記突出部に固定ビスを取り付けることで、前記保持板をカバー部材に固定したことを特徴とする請求項１から４のいずれか１項に記載の一方向クラッチユニット。
【請求項６】
円周壁と、駆動軸を挿通させる開口を有する底壁とが一体化され、凹所を形成する枠体と、
前記円周壁の内面に固定される外輪と、
前記駆動軸と一体回転可能に配設される内輪と前記外輪との間に配設される複数の転がり部材と、
前記複数の転がり部材を保持する保持部材と、
を有する一方向クラッチであって、
前記枠体の凹所に、前記一方向クラッチを軸方向から挿入し、その後、リング状の磁石を挟持するように保持した磁性材で形成される内側保持板及び外側保持部材が配設されたカバー部材を前記凹所の開口を閉塞するように被着して磁気シール機構を有する一方向クラッチをユニット化する方法。
【発明の詳細な説明】
【技術分野】
【０００１】
本発明は、魚釣用リールに組み込み可能であり、回転駆動される駆動軸の逆回転を防止する逆転防止機構をシールするシール機構を備えた一方向クラッチユニットに関する。
【背景技術】
【０００２】
通常、魚釣用リールは、ハンドルを回転操作することで、動力伝達機構を介して釣糸をスプールに巻回するよう構成されている。動力伝達機構には、ハンドルの回転操作に伴って回転駆動される駆動軸が設けられており、一般的に駆動軸は、リール本体に設けたボールベアリング（軸受）を介して回転自在に支持されている。このような駆動軸は、魚釣用リール内において、複数個所に配設されており、それら駆動軸の中には、その駆動軸の正回転（釣糸巻き取り方向の回転）を許容し、逆回転を防止する逆転防止機構が設けられるものがある。このような逆転防止機構は、例えば、特許文献１に開示されているように、リール本体の前部に凹部を形成し、その内部にローラ式の一方向クラッチを収容したものが知られている。
【０００３】
ところで、魚釣用リールを実際の釣場で使用する際には、リール本体に海水、砂、異物等が付着し易いという特有の問題があり、これらは、リール本体外部の隙間を介して内部に侵入し、一方向クラッチ内にも侵入してしまう。そこで、前記特許文献１には、凹部の内面に、外周に合成樹脂弾性体製のシール部（弾性シール）を備えたカバー部材を圧入し、カバー部材を抜け止めしてガタ規制と防水を図る構成が開示されている。
【０００４】
また、特許文献２には、一方向クラッチをケースに収容するとともにケース開口にカバー部材を圧入してユニット化し、このようなユニット化した一方向クラッチをリール本体の前部にネジで固定した構成が開示されている。さらに、特許文献３には、一方向クラッチをリール本体の前部に形成された凹部に収容し、凹部の開口部とピニオンとの間に磁気回路を形成して磁性流体を保持した磁気シール機構で一方向クラッチをシールする構成が開示されている。
【先行技術文献】
【特許文献】
【０００５】
【特許文献１】特許第３９８１２１９号
【特許文献２】特許第３３３９５３２号
【特許文献３】特許第５２４９０７６号
【発明の概要】
【発明が解決しようとする課題】
【０００６】
しかし、上記した特許文献１に開示されている構成では、部品寸法のバラツキの影響により、カバー部材に設けられた弾性シールのリップ部と駆動軸（ピニオン）との間の同芯度を高精度に得られないので、ピニオンに対する摩擦接触圧が一定にならず、防水性能が安定しないとともに、リップ部の摩耗により防水性能が低下する。また、本体の前部に形成された筒部内に摩擦接触するカバー部材で一方向クラッチの前方へのガタつきの規制も行う構成のため、更に防水性能が低下する。
【０００７】
上記した特許文献２に開示されている構成では、ケースとカバー部材との間に収容される一方向クラッチを構成する部材を軸方向から組み付けるようにしているため、組み立ての容易性が図れるとともに、ユニット化することによって組み立て時の取り扱いも便利になるが、リールとして重要な機能を果たす一方向クラッチをシールして逆転防止機能の安定化を図ることはできない。
【０００８】
上記した特許文献３に開示されている構成では、磁気シール機構によってシール機能が安定し、かつ、駆動軸の回転も滑らかになるが、一方向クラッチを収容するリール本体の前部の開口部に磁石を保持する保持板を取着、又は、開口部に固定したカバー部材に磁石（保持板）を支持する構成のため、一方向クラッチと磁気シール機構の組み込みが別工程で部品の取り扱いも面倒となり、組み込み作業が複雑化する。また、一方向クラッチと磁気シール機構は、組み込みが別の構成であるため、動力伝達機構内部のメンテナンス性も劣ってしまう。
【０００９】
本発明は、上記した問題に着目してなされたものであり、駆動軸の逆回転を防止する一方向クラッチに対するシール効果を確実に維持し、組み込み性及びメンテナンス性が容易な磁気シール機構を備えた一方向クラッチユニット、一方向クラッチをユニット化する方法を提供することを目的とする。
【課題を解決するための手段】
【００１０】
上記した目的を達成するために、本発明は、駆動軸の逆回転を防止する一方向クラッチユニットであって、円周壁と前記駆動軸を挿通させる開口を有する底壁とが一体化され、凹所を形成する枠体と、前記円周壁の内面に固定される外輪と、前記駆動軸と一体回転可能に配設される内輪と前記外輪との間に配設される複数の転がり部材と、前記複数の転がり部材を保持する保持部材と、前記枠体に取着され、前記凹所の開口側を閉塞すると共に、中心領域に円形の開口が形成されたカバー部材と、前記カバー部材の円形の開口と同軸上に設けられ、リング状の磁石を保持したリング状の保持板と、を有することを特徴とする。
【００１１】
上記した構成によれば、駆動軸に配設される一方向クラッチは、外輪、及び、複数の転がり部材を保持した保持部材を枠体内に収容し、枠体の凹所の開口側を閉塞するカバー部材に磁気シール機構を設けてユニット化しているため、部品としての取り扱い性が向上し、魚釣用リールへの組み込みが容易に行える。すなわち、一方向クラッチをリール本体に組み込む際、磁気シール機構が一体化されているため、取り扱い性の向上が図れるとともに、メンテナンス性も向上する。また、カバー部材には、内輪との間に隙間を生じさせて内輪との間で磁性流体によるシール膜を形成する磁気シール機構が設けられているため、ゴム等のシール部材とは異なって摩耗等することはなく、一方向クラッチの内部に対するシール性能が長期に亘って維持される。
【発明の効果】
【００１２】
本発明によれば、駆動軸の逆回転を防止する一方向クラッチに対するシール効果を確実に維持し、組み込み性及びメンテナンス性が容易な磁気シール機構を備えた一方向クラッチユニットが得られる。
【図面の簡単な説明】
【００１３】
【図１】本発明に係る一方向クラッチユニットが組み込まれる魚釣用リールの一実施形態（スピニングリール）を示す図。
【図２】図１に示すスピニングリールのロータとスプールを取り外した状態を示す分解斜視図。
【図３】図１に示すスピニングリールに組み込まれる一方向クラッチ部分を示す断面図。
【図４】図３をスプール側から見た正面図。
【図５】ユニット化される一方向クラッチをシールする磁気シール機構の第１の変形例を示す図。
【図６】ユニット化される一方向クラッチをシールする磁気シール機構の第２の変形例を示す図。
【図７】ユニット化される一方向クラッチをシールする磁気シール機構の第３の変形例を示す図。
【発明を実施するための形態】
【００１４】
以下、図面を参照しながら本発明に係る一方向クラッチユニット及びそのような一方向クラッチユニットが組み込まれる魚釣用リールの実施形態について説明する。
図１から図３は、本発明に係る一方向クラッチユニットが組み込まれる魚釣用リールの一実施形態（スピニングリール）を示す図であり、図１は、全体構成を示す図、図２は、図１に示すスピニングリールのロータとスプールを取り外した状態を示す分解斜視図、そして、図３は、図１に示すスピニングリールに組み込まれる一方向クラッチ部分を示す断面図である。
【００１５】
スピニングリール１のリール本体２には、巻き取り操作されるハンドル３が装着されており、ハンドル３を回転操作することで、リール本体内に配設された動力伝達機構を介してスプール１０に釣糸が巻回されるようになっている。
【００１６】
前記動力伝達機構は、公知のように、前記ハンドル３を装着しリール本体との間で軸受を介して回転可能に支持されたハンドル軸と、ハンドル軸に取り付けられた駆動歯車（ドライブギヤ）と、前記ハンドル軸に対して直交する方向に延出し、軸受４を介して回転可能に支持されて前記駆動歯車と噛合する歯部を備えたピニオン（駆動軸）５とを備えている。
【００１７】
前記ピニオン５の先端部には、雄螺子部５ａにロータナット７を螺合することで、ベール９ａおよび釣糸案内装置９ｂを備えたロータ９が一体回転するように取り付けられている。また、前記ピニオン５は、軸方向に沿って貫通しており、その内部には、先端に釣糸が巻回されるスプール１０を保持したスプール軸１１が挿通されている。このスプール軸１１の基端側には、公知のオシレーティング機構が連結されており、前記ハンドル軸がハンドル３の回転操作によって回転されると、上記した動力伝達機構を介してスプール軸１１は軸方向に沿って往復駆動されるとともに、ロータ９は回転駆動され、これにより、釣糸は前記釣糸案内装置９ｂを介して前後動するスプール１０に均等に巻回される。
【００１８】
また、前記ピニオン５には、逆転防止機構を構成する一方向クラッチ２０が配設されている。この一方向クラッチ２０は、ハンドル３の釣糸巻き取り方向の回転（ピニオン５の正回転）を許容し、かつ、釣糸繰り出し方向の回転（ピニオン５の逆回転）を防止する機能を備えており、リール本体２に対する組み付けが容易となるように、ユニット化された構成となっている。すなわち、図２に示すように、リール本体２からスプール軸１１を挿通したピニオン５が突出した状態で、容易に組み込み作業ができるように、後述する磁気シール機構５０と共に主要な構成要素がユニット化されている。
【００１９】
本実施形態の一方向クラッチ２０は、断面円形の凹所２１ａが形成された枠体２１と、前記凹所２１ａを形成する円周壁２１ｂの内面に固定される外輪２３と、ピニオン５と一体回転可能に配設される内輪２５と、内輪２５と外輪２３との間に配設され、公知のように、内輪２５と外輪２３との間のフリー回転領域と楔領域とで切り換えられる複数の転がり部材２７と、複数の転がり部材２７を保持する保持部材２９と、を有している。
【００２０】
前記枠体２１は、円周壁２１ｂと一体化された底壁２１ｃを備えており、底壁２１ｃの中央部分には、前記ピニオン５を挿通させる孔（開口）２１ｄが形成されている。この底壁２１ｃは、リール本体２の前端面との間で、例えば凹凸係合して位置決めされるようになっており、固定ビス７０によって、枠体２１は、リール本体２の前端面に固定される。なお、固定ビス７０の個数、配設位置は限定されることはないが、本実施形態では、後述するように、１８０°間隔で２か所設けられている。また、枠体２１をリール本体２に固定すると、前記底壁２１ｃは、軸受４の外輪に当て付いて軸受４を抜け止めする機能を有している。
【００２１】
前記円周壁２１ｂの内面には、所定間隔をおいて凹部２１ｂ´が形成されており、この凹部２１ｂ´に、外輪２３に径方向に突出するように所定間隔おいて形成された突起２３ａが嵌合することで、外輪２３は、円周壁２１ｂの内面に回り止め固定される。この外輪２３の内周面側には、公知のように、周方向に沿って、転がり部材２７がフリーに回転できるフリー回転領域と、転がり部材の回転を阻止する楔領域が周方向に沿って連続的に形成されている。そして、前記複数の転がり部材２７は、保持部材２９によって、内外輪の間で保持された状態となっており、保持部材２９と各転がり部材２７との間には、付勢バネ２９ａが配設されて、転がり部材２７を常時、楔領域に付勢している。
【００２２】
前記内輪２５は、ピニオン５に対して一体回転可能に配設されている。すなわち、ピニオン５は、図２に示すように、外周面が断面非円形状に形成されており、この部分に内輪２５が嵌合することで、内輪２５はピニオン５と共に一体回転可能となっている。なお、内輪２５については、一方向クラッチ２０を構成する構成要素となるが、枠体２１と共にユニット化されていなくても良い。すなわち、ピニオン５に対して内輪２５を嵌合させた後、ユニット化されている枠体２１をリール本体２に固定するか、又は、ユニット化されている枠体２１をリール本体２に固定した後、ピニオン５に対して内輪２５を嵌合させることで、一方向クラッチ２０は駆動軸であるピニオン５に配設された状態となる。
【００２３】
前記内輪２５は、枠体２１の軸方向の長さよりも長く形成されており、図３に示すように、内輪２５をピニオン５に嵌合すると、その後端部が前記軸受４の内輪に当て付いて位置決めされ、この状態で前端側が転がり部材２７からスプール側に突出する（この突出部分には、後述するように磁気シール機構５０が配設される）。また、内輪２５の前端側には、凹所２５ａが形成されており、ここにロータ９の軸部突起９ｄが嵌合して、ロータ９と内輪２５は一体化され、前記ロータナット７を螺合することで、ロータ９はピニオン５に回り止め固定される。なお、内輪２５と嵌合されるロータ９の軸部突起９ｄとの間には、シール部材３０が配設される。
【００２４】
前記保持部材２９と枠体２１の底壁２１ｃとの間には、保持部材２９と一体化される切換板３１が介在される。すなわち、保持部材２９は、枠体２１内で、切換板３１と共に周方向に所定角度回動可能となっており、切換板３１には、底壁２１ｃに形成された開口２１ｆを介して操作部材３５の操作片３５ａが係合している。前記操作部材３５は、図１に示すように、リール本体２から外部に露出しており、この部分を回動操作することにより、操作片３５ａが切換板３１を回動させ、これに伴い保持部材２９は回動される。
【００２５】
前記操作部材３５は、転がり部材２７が、フリー回転領域に保持される位置と、楔領域に保持される位置となるように保持部材２９を回動させる。すなわち、転がり部材２７がフリー回転領域に保持されると、ピニオン５は正回転／逆回転が可能な状態となり、転がり部材２７が楔領域に保持されると、正回転のみが許容され逆回転ができない状態となる。なお、一方向クラッチについては、上記したような切換操作をすることなく、常時、ピニオン（駆動軸）５が正回転のみできるように構成されたものであっても良い。
【００２６】
前記枠体２１には、凹所２１ａの開口側を閉塞すると共に、前記内輪２５との間に隙間を生じさせて内輪との間で磁性流体によるシール膜を形成する磁気シール機構５０が設けられたカバー部材４０が取着される。このカバー部材４０は、枠体２１に対して、接着、螺合結合、ビス等によって固定することが可能である。なお、カバー部材４０と前記外輪２３との間にシール部材４１を介在しておいても良く、これにより、カバー部材と枠体との間の隙間から内部へ水分や異物等が侵入することを阻止できるとともに、軸方向のガタつきを吸収することが可能となる。
【００２７】
前記カバー部材４０には、その中心領域に円形の開口４０ａが形成されており、この開口４０ａの部分に前記内輪２５の前端側が位置するようになっている。すなわち、この開口部分に磁気シール機構５０によるシール膜を形成することで、外部から内輪２５の表面に沿って水分や異物等が侵入することを阻止し、一方向クラッチ内を確実にシールするようにしている。
【００２８】
前記カバー部材４０に設けられる磁気シール機構５０は、内輪２５の外周表面との間で隙間を設けて磁気回路を形成し、この隙間部分に磁性流体を保持する機能を有する。このため、内輪２５は磁性材で構成されるか、或いは、非磁性材で構成して表面に磁性カラーを被着して構成される。また、内輪２５を外嵌させるピニオン５については、磁性材で構成しても良いが、銅合金、アルミ合金等の非磁性材で構成することが可能である。
【００２９】
本実施形態の磁気シール機構５０は、内輪２５に対して所定間隔をおいて配置される磁石５１と、磁石５１を挟持して保持する一対の磁性材で形成される保持板（極板）５２，５３と、を備えており、磁石５１、保持板（内側保持板５２，外側保持板５３）、及び内輪２５によって形成される磁気回路に磁性流体Ｓを保持して、一方向クラッチの内部をシールしている。この場合、磁石５１、及び保持板５２，５３は、内輪２５の外周面から所定の隙間を有するようにリング状に形成されており、各保持板５２，５３と内輪２５との間の隙間（図２の円形開口５０ａに挿通される内輪２５の円周表面との間の隙間）に磁性流体を全周に亘って保持することを可能としている。
【００３０】
すなわち、前記磁性流体Ｓは、例えばＦｅ3Ｏ4のような磁性微粒子を、界面活性剤でベースオイルに分散させて構成されたものであり、粘性があって磁石を近づけると反応する特性を備えている。このため、磁性流体は、リング状の磁石５１、これを挟持保持する保持板５２，５３、および、磁性材料で構成される内輪２５によって形成される磁気回路によって、各保持板５２，５３と内輪２５との間の隙間に、全周に亘って安定して保持され、一方向クラッチ２０をシールする。なお、保持板５２，５３と磁石５１との間に隙間が生じる場合、その隙間にスペーサ５５を介在しておいても良い。
【００３１】
また、本実施形態の磁気シール機構は、カバー部材４０の開口４０ａの周辺領域に、円形の凹所を形成しておき、その凹所内にリング状の磁石５１を保持した内側保持板５２を圧入することで、リング状の磁石５１及び内側保持板５２を位置決め、固定するようにしている。この場合、外側保持板５３は、リング状の磁石５１に対応してリング状に形成されているが、本実施形態の外側保持板５３は、保持されるリング状の磁石５１よりも径方向外方に突出する突出部５３ａが形成されている。前記突出部５３ａは、１８０°間隔で一対形成されており、カバー部材４０の上面に形成した突出部５３ａと同形の凹部４０ａに回り止め嵌合され、この突出部５３ａに固定ビス７０を取り付けることで、リング状の磁石５１に干渉することなく、外側保持板５３をカバー部材４０に対して容易に固定できるようにしている。
【００３２】
したがって、枠体２１の凹所２１ａ内に、前記切換板３１と共に転がり部材２７を保持した保持部材２９及び外輪２３を軸方向から挿入し、さらに、シール部材４１を介在して、内側保持板５２と磁石５１を配設したカバー部材４０を凹所２１ａの開口を閉塞するように被着し、その上から外側保持板５３を配設して固定ビス７０を螺合することで、磁気シール機構５０を有する一方向クラッチ２０をユニット化することができる。
【００３３】
すなわち、ユニット化された一方向クラッチ２０は、図２に示すように、スプール側から、スプール軸１１が突出しているピニオン５を挿通させてリール本体２に取り付けられ、ユニット化された一方向クラッチ２０の円形開口５０ａの部分に内輪２５を嵌合し、内輪２５の外周に生じている隙間に磁性流体を充填することで、容易に組み付けることができ、更には、磁気シール機構５０と一体的に一方向クラッチを取り外すことができることから、部品としての取り扱い性が向上する（組み込み性、メンテナンス性が向上する）。また、ユニットを構成する枠体２１は、カバー部材４０によって凹所２１ａの開口側が閉塞された状態にあり、そのカバー部材４０には、内輪２５との間に隙間を生じさせて内輪表面との間で、磁性流体によるシール膜を形成する磁気シール機構５０が設けられているため、一方向クラッチの内部に対するシール性能が長期に亘って安定する。
【００３４】
上記した構成では、外側保持板の突出部５３ａに螺合される固定ビス７０によって、更に、枠体２１をリール本体２に固定するようにしても良い。このような構成によれば、固定ビス７０を螺合するだけで、磁気シール機構を有する一方向クラッチ（ユニット化された一方向クラッチ）をリール本体２に組み付けることができるとともに、固定ビス７０を取り外すことで、磁気シール機構５０、及び、一方向クラッチ２０をそれぞれ取り外すことができ、組み込み性及びメンテナンス性の向上が図れるようになる。
【００３５】
なお、固定ビス７０については、図５に示すように、単に外側保持板５３をカバー部材４０に固定するだけであっても良い。すなわち、カバー部材４０は、固定ビス７０とは別の固定ビス７０ａによってリール本体２に固定するようにしても良い。このような構成によれば、枠体２１及びカバー部材４０をリール本体２に固定したままの状態でカバー部材４０から磁気シール機構５０のみを取り外すことができるため、磁気シール機構のメンテナンス性の向上が図れるようになる。
【００３６】
以上、本発明の実施形態について説明したが、本発明は、上述した実施形態に限定されることはなく、種々変形して実施することが可能である。
【００３７】
例えば、上述した構成の磁気シール機構５０は、磁石５１を一対の保持板５２，５３で挟持し、外側保持板５３に突出部５３ａを形成して、突出部５３ａに固定ビス７０を螺合するようにしたが、図６に示すように、突出部を形成することなく、保持板５２，５３を同様な形状で構成しても良い。この場合、カバー部材４０は、固定ビス７０ａによって枠体２１に取着され、更には、固定ビス７０ａを利用して枠体２１をリール本体２に固定しても良い。また、磁気シール機構５０の構成については、適宜変形することができ、上記したように、内輪２５との間で磁性流体Ｓが保持できれば、例えば、図７に示すように、保持板は外側のみに配設しても良い。さらに、リング状の磁石５１を保持する保持板の形状や、カバー部材４０に対する設置態様等については適宜変形することが可能である。
【００３８】
また、上記したユニット化された一方向クラッチについては、スピニングリールに限らず、両軸受け型リールのハンドル軸部分に配設する等、各種の魚釣用リールに適用することが可能である。
【符号の説明】
【００３９】
１  スピニングリール（魚釣用リール）
２  リール本体
３  ハンドル
５  ピニオン（駆動軸）
１０  スプール
２０  一方向クラッチ
２１  枠体
４０  カバー部材
５０  磁気シール機構
５１  磁石
【図１】
2018186827.tif 000003
【図２】
2018186827.tif 000004
【図３】
2018186827.tif 000005
【図４】
2018186827.tif 000006
【図５】
2018186827.tif 000007
【図６】
2018186827.tif 000008
【図７】
2018186827.tif 000009